(57)【要約】【課題】多重アンテナ回路レイアウトと無電池指標装置を具えた電磁誘導システム及びその座標位置決め方法の提供。【解決手段】本発明の多重アンテナ回路レイアウトは複数のアンテナ回路を具え、そのうち、各アンテナ回路の一端にそれぞれアンテナスイッチが連接され、且つそのもう別端が共接点に連接されている。各アンテナ回路は相対閉合式アンテナ回路とされ、該相対閉合式アンテナ回路は複数の逆Ｕ形セクションを具えて鋸歯状領域を形成し、且つ逆Ｕ形セクションが互いに閉じ合って複数の疑似クローズ領域を形成し、この形式により漸次多重アンテナ回路レイアウトを形成する。【選択図】　　　　図３
2004078747.tif 000002
【特許請求の範囲】
【請求項１】
電磁誘導システムにおいて、
無電池指標設備とされ、該無電池指標設備が第１電磁信号を受け取り、並びに電磁誘導により電気エネルギーを保存して第２電磁信号を発射できるようにする、上記無電池指標設備と、
アンテナ回路サブ回路とされ、該アンテナ回路サブ回路がマルチアンテナ回路レイアウトを具え、且つ該アンテナ回路サブ回路が第１電磁信号と発射して第２電磁信号を受信する、上記アンテナ回路サブ回路と、
内部サブ回路とされ、該内部サブ回路が該アンテナ回路サブ回路と電気的に結合されて第１電磁信号と第２電磁信号を伝送且つ処理する、上記内部サブ回路と、
マイクロプロセッシングサブ回路とされ、該マイクロプロセッシングサブ回路が該内部サブ回路と電気的に結合され、該アンテナ回路サブ回路を制御する、上記マイクロプロセッシングサブ回路と、
を具えたことを特徴とする、電磁誘導システム。
【請求項２】
請求項１に記載の電磁誘導システムにおいて、無電池指標設備が電磁誘導式エネルギー保存サブ回路を具えたことを特徴とする、電磁誘導システム。
【請求項３】
請求項１に記載の電磁誘導システムにおいて、マルチアンテナ回路レイアウトが複数条の実体アンテナ回路を具え、該複数条の実体アンテナ回路の一端がアンテナスイッチグループと電気的に結合され、且つ該複数条の実体アンテナ回路の別端が一つの共接点に電気的に結合されたことを特徴とする、電磁誘導システム。
【請求項４】
無電池指標設備を具えた電磁誘導システムの座標位置決め方法において、
複数条の実体アンテナ回路により全域走査プロセスを実行して第１電磁信号を発射できるようにするステップと、
無電池指標設備により第１電磁信号を受け取り並びに第２電磁信号を発射して該無電池指標設備位置に位置する一部の複数条の実体アンテナ回路が第２電磁信号を受け取れるようにするステップと、
第２電磁信号をマイクロプロセッシングサブ回路に伝送するステップと、
マイクロプロセッシングサブ回路内のアンテナ回路配置表により最大電圧信号を有する実体アンテナ回路アドレスを探し出すステップと、
実体アンテナ回路を中心として領域走査プロセスを実行して少なくとも３条の実体アンテナ回路を走査し並びに少なくとも三つの電圧信号を取得するステップと、
この三つの電圧信号とアンテナ回路配置表により無電池指標設備の所在のロジックアドレスを確定すると共に、その座標を計算するステップと、
を具えたことを特徴とする、無電池指標設備を具えた電磁誘導システムの座標位置決め方法。
【請求項５】
請求項４に記載の無電池指標設備を具えた電磁誘導システムの座標位置決め方法において、アンテナ回路配置表が更に複数のアンテナアドレスを含み、この複数のアンテナアドレスが複数の実体アンテナ回路の位置とされることを特徴とする、無電池指標設備を具えた電磁誘導システムの座標位置決め方法。
【発明の詳細な説明】
【０００１】
【発明の属する技術分野】
本発明は一種の電磁誘導システムの多重アンテナ回路レイアウトに係り、特に、電磁誘導システムの多重アンテナ回路レイアウトの座標位置決め方法に関する。
【０００２】
【従来の技術】
手書き入力回路設備はマウスの代わりに使用でき、並びにマウスよりも使用者が手作業入力の方式で文字や図形を入力するのに適合する。このため手書き入力回路設備の改良は近年急速に発展している領域である。早期の手書き入力設備はペンをマウスの代わりに使用し、並びに使用者の操作上の便利性を高めるため、通常は、無線ポインティング設備（ペン、マウス、位置決め盤等）とタブレットの両者を以てマウスの代わりとしている。そのうち、無線ペンのペン先は、通常マウスの左ボタンに相当する。伝統的なペン式入力製品が発売されてから何年にもなるが、同類の製品は、いずれも描画や文字入力等の単一機能の応用に偏っている。
【０００３】
伝統的な電磁誘導システムはタブレットとマウス或いはペン型のエネルギー交換器／ポインティング設備を具えている。一般には、タブレットの表面で、描点の位置を決定するには二つのモードがあり、一つは相対モードで、もう一つは絶対モードである。一般にマウス設備は相対モードで運転し、マウスがタブレット表面を滑る時、コンピュータシステムがマウスからの入力を受け取るが、それは、わずかにマウスがＸとＹ方向の相対移動を識別できるだけである。一種の普及した技術によると、マウス内に誘導設備を利用し、一対の相互に垂直な変換信号を形成し、この一対の信号が該マウスの縦向きと横向きの移動に対応する。タブレット中の指標設備、例えば無線ポインティング設備は、一般には絶対モードで運転する。もしこの指標設備を持ち上げてタブレット表面の別の位置に移動させるなら、コンピュータシステムに対して、信号が改変してこのポインティング設備の新たな絶対位置に反応する。現在、すでに多種類の方法が該ポインティング設備の、それを支持するディジタル板表面にあっての位置を決定するのに用いられている。そのうち、電磁場誘導技術は一般に絶対モードに応用されている技術である。早期のエネルギー交換器／ポインティング設備は多導体ケーブルでタブレットに連接され、さらにコンピュータ伝送インタフェースを介して位置とボタン押圧／圧力の情報をコンピュータシステムに伝送する。ある伝統技術中の無線式エネルギー交換器／ポインティング設備は、周波数を使用し及び又は位相改変の方式によりエネルギー交換器／ポインティング設備機能の非方位状態を代表し、このような機能は、押し下げられた押しボタン、指標設備の圧力、或いは類似の機能を有する。しかし、注意深く処理しなければ、周波数と位相の改変は多種の外在の因子、例えば金属物品、ノイズ、外来電磁波等に依る場合が多く、このため指標設備機能上の誤判断をまねく。特に比較的大きなタブレットでは、このような問題はますます明らかとなる。伝統的なタブレットシステムの改良技術は使用者にダブルモード式の運転方式で描点設備を使用することを許容し、これにより使用者の制御下で相対移動或いは絶対位置の情報を提供できる。
【０００４】
現行の指標設備式入力製品は通常、一種の電磁誘導回路設備とされる。電磁誘導設備は、通常、電磁指標設備（ｅｌｅｃｔｒｏｍａｇｎｅｔｉｃ　ｐｏｉｎｔｅｒ）とタブレット（ｄｉｇｉｔｉｚｅｒ　ｔａｂｌｅｔ）を具えている。電磁指標設備内には電池があり関係電磁信号のエネルギーの発射に供され、且つ電磁指標設備内に振動回路が設けられている。電磁指標設備を例とすると、指標設備のペン先に接触すると、インダクタンス量の変化が発生し、振動周波数もまたこれにより変化する。振動周波数の変化量が大きくなることにより、周波数の変化の大きさにより、指標設備先端に加えられた圧力の大きさを知る事ができる。無線指標設備の側辺には二つのスイッチボタンが設けられ、キーの接合／分離により振動器中の特定の電容が振動に参加／不参加とされ、これにより指標設備の発射周波数が改変し、周波数の違いにより、使用者が押し下げたスイッチボタンがどのボタンかを知ることができる。このほか、タブレットは検出回路（ｄｅｔｅｃｔｉｖｅ　ｌｏｏｐ）、増幅器（ａｍｐｌｉｆｉｅｒ）、アナログディジタル変換器（Ａｎａｌｏｇ　ｔｏ　Ｄｉｇｉｔａｌ　Ｃｏｎｖｅｒｔｅｒ；ＡＤＣ）等の装置を有する。このような伝統的なタブレットの中央ライティング領域は、誘導回路により編成され、この領域にあって、基板の両面にレイアウトされ並びに２軸方向に、アレイ方式で等距離配列されたアンテナ回路が使用される。このアンテナ回路の主要な用途は専用の電磁指標設備の発射する電磁信号を受信することにある。電磁指標設備が電磁信号を発射する時、アンテナ回路はこの電磁信号を受信し、並びに回路で処理して、指標設備関係信号を取得する。
【０００５】
一般には、伝統的な電磁誘導設備のアンテナ回路及びそのレイアウト設計は、アンテナ回路がＸ軸、Ｙ軸アレイを以て等距離に配列されて格子状を形成するものとされ、電磁指標設備に感応し、その絶対座標を計算する。図１に示される二次元直交座標（ｔｗｏ−ｄｉｍｅｎｓｉｏｎ　ｏｒｔｈｏｇｏｎａｌ　ｃｏｏｒｄｉｎａｔｅｓ）のＸ方向に沿って配置されたアンテナ回路レイアウトによると、各アンテナ回路１１０Ａの一端にそれぞれ一つのスイッチ（Ｘ１からＸ２５）が連接され、且つその別端がそれぞれ接地線共接点１０５Ａに連接され、これにより、各一つのアンテナ回路１１０Ａの誘導する信号はスイッチＸ１からＸ２５に対する循環制御により獲得される。磁場強度と距離の平方は反比例し、電磁波を発射する電磁指標設備がアンテナから離れるほど、アンテナ回路の受信する信号は弱くなる。相対的に、電磁波を発射する電磁指標設備がアンテナに近くなるほど、アンテナの受信する信号は強くなる。これにより、ただタブレットのマイクロプロセッサに逐一順に全てのアンテナ回路を走査させ、並びにアンテナ回路の受信した信号の強さを分析すれば、電磁指標設備がどの１条のアンテナの範囲内に位置するかを知ることができ、これによりその位置座標を計算できる。しかし、大面積のタブレットに対しては、そのレイアウトされたアンテナ回路の数量もまた増加するため、更に多くのアンテナスイッチが必要である。
【０００６】
一方で、現在情報製品は高速処理とマルチ機能の方向に発展している。しかし処理速度が速くなるほど、電磁干渉の現象も発生しやすくなる。通常はタブレットを使用する特定の場所にあって、その周辺には他の情報ディジタル製品の存在があり、このため伝統的なタブレットは外在電磁場の干渉を受けやすく、このために誤判断を発生しやすい。商業上必要な、大面積を有するタブレットについては、そのアンテナのレイアウト数量が増大し、このため大量のアンテナスイッチが必要となる。図２に示される伝統的なアンテナ回路レイアウトに示されるように、伝統的なアンテナレイアウトにあって、Ｘ軸とＹ軸のアンテナレイアウトはそれぞれ接地線共接点１０５Ａと１０５Ｂに連接され、且つアンテナ回路１１０Ａと１１０Ｂの配置は、疑似クローズの領域を形成するために、接地点１０５Ａと１０５Ｂの範囲を超過している。これにより、伝統的なタブレットは境界領域（ｓｐａｃｅ　ｂｏｕｎｄｅｄ）１７０を保留して、超過共接点１０５Ａと１０５Ｂを超過するアンテナ回路１１０Ａと１１０Ｂの開始導線を放置する必要がある。これはタブレットの基板面積縮小化を制限し、小寸法の境界領域を具備するパネルの製造を難しくした。
【０００７】
【発明が解決しようとする課題】
このことから、本発明は、電磁誘導システムのマルチアンテナ回路レイアウトを提供し、上述の欠点を解決する。
【０００８】
上述の従来の技術中、伝統的な電磁誘導設備のアンテナ回路の機能を強化するため、本発明は無電池指標設備（ペン、マウス、位置決め盤等）を具えた電磁誘導システムのマルチアンテナ回路レイアウト及びその座標位置決め方法を提供し、上述の電磁誘導設備の欠点を解決する。
【０００９】
本発明の主要な目的は、一種の無電池指標設備とマルチアンテナ回路レイアウトを具えた電磁誘導システム及びその座標位置決め方法を提供することにある。本発明は、無電池指標設備とマルチアンテナ回路レイアウトにより座標位置決めプロセスを実行する。このほか、本発明の無電池指標設備は可変インダクタ素子を具え、この可変インダクタのインダクタンス改変時に、その共振周波数もまたこれに伴い改変し、ゆえにアンテナ回路の受信する電磁信号周波数もまた異なる。このマルチアンテナ回路レイアウトにより、本発明は電磁誘導システムの空間要求及びその基板（硬式或いは軟式基板に制限しない）の面積を縮減でき、製品外観辺縁寸法を縮減する目的を達成すると共に、生産コストを減らし、並びに電磁誘導システムの機能強化を達成する。これにより、本発明は経済上の利益と産業上の利用性に符合する。
【００１０】
【課題を解決するための手段】
請求項１の発明は、電磁誘導システムにおいて、
無電池指標設備とされ、該無電池指標設備が第１電磁信号を受け取り、並びに電磁誘導により電気エネルギーを保存して第２電磁信号を発射できるようにする、上記無電池指標設備と、
アンテナ回路サブ回路とされ、該アンテナ回路サブ回路がマルチアンテナ回路レイアウトを具え、且つ該アンテナ回路サブ回路が第１電磁信号と発射して第２電磁信号を受信する、上記アンテナ回路サブ回路と、
内部サブ回路とされ、該内部サブ回路が該アンテナ回路サブ回路と電気的に結合されて第１電磁信号と第２電磁信号を伝送且つ処理する、上記内部サブ回路と、
マイクロプロセッシングサブ回路とされ、該マイクロプロセッシングサブ回路が該内部サブ回路と電気的に結合され、該アンテナ回路サブ回路を制御する、上記マイクロプロセッシングサブ回路と、
を具えたことを特徴とする、電磁誘導システムとしている。
請求項２の発明は、請求項１に記載の電磁誘導システムにおいて、無電池指標設備が電磁誘導式エネルギー保存サブ回路を具えたことを特徴とする、電磁誘導システムとしている。
請求項３の発明は、請求項１に記載の電磁誘導システムにおいて、マルチアンテナ回路レイアウトが複数条の実体アンテナ回路を具え、該複数条の実体アンテナ回路の一端がアンテナスイッチグループと電気的に結合され、且つ該複数条の実体アンテナ回路の別端が一つの共接点に電気的に結合されたことを特徴とする、電磁誘導システムとしている。
請求項４の発明は、無電池指標設備を具えた電磁誘導システムの座標位置決め方法において、
複数条の実体アンテナ回路により全域走査プロセスを実行して第１電磁信号を発射できるようにするステップと、
無電池指標設備により第１電磁信号を受け取り並びに第２電磁信号を発射して該無電池指標設備位置に位置する一部の複数条の実体アンテナ回路が第２電磁信号を受け取れるようにするステップと、
第２電磁信号をマイクロプロセッシングサブ回路に伝送するステップと、
マイクロプロセッシングサブ回路内のアンテナ回路配置表により最大電圧信号を有する実体アンテナ回路アドレスを探し出すステップと、
実体アンテナ回路を中心として領域走査プロセスを実行して少なくとも３条の実体アンテナ回路を走査し並びに少なくとも三つの電圧信号を取得するステップと、
この三つの電圧信号とアンテナ回路配置表により無電池指標設備の所在のロジックアドレスを確定すると共に、その座標を計算するステップと、
を具えたことを特徴とする、無電池指標設備を具えた電磁誘導システムの座標位置決め方法としている。
請求項５の発明は、請求項４に記載の無電池指標設備を具えた電磁誘導システムの座標位置決め方法において、アンテナ回路配置表が更に複数のアンテナアドレスを含み、この複数のアンテナアドレスが複数の実体アンテナ回路の位置とされることを特徴とする、無電池指標設備を具えた電磁誘導システムの座標位置決め方法としている。
【００１１】
【発明の実施の形態】
本発明は無電池指標設備とマルチアンテナ回路レイアウトを具えた電磁誘導システム及びその座標位置決め方法を提供する。本発明のマルチアンテナ回路レイアウトはマルチアンテナ回路グループを具え、それは一つのアンテナ回路配置表に基づき配置される。アンテナ回路配置表中のアンテナ回路レイアウトは複数条の実体アンテナ回路（ｐｈｙｓｉｃａｌ　ａｎｔｅｎｎａ　ｌｏｏｐ）を具え、複数の実体アンテナ回路はそれぞれ二次元直交座標のＸ軸とＹ軸方向に沿って分布し、そのうち、各一つの実体アンテナ回路は少なくとも、複数のロジックアンテナ回路を具えている。各異なる方向に分布する実体アンテナ回路については、それぞれ異なる実体アンテナ回路に係属する。このほか、アンテナ回路の走査順序は、マイクロプロセッサ内において設計されたアンテナ回路配置表に依り走査される。まず、各一つのアンテナスイッチが時間順にその実体アンテナ回路をオンとし、電磁信号を発射する。無電池指標設備がマルチアンテナ回路レイアウトの範囲内に位置する時、無電池指標設備は電磁誘導の方式で実体アンテナ回路の発射した電磁エネルギーを受け取る。無電池指標設備が受け取ったエネルギーを保存した後、実体アンテナ回路の二方向アンテナスイッチはエネルギー発射を停止し並びに無電池指標設備の発射するエネルギーの受信を開始する。一方で、電磁誘導システムの無電池指標設備の座標位置決め方法は、Ｘ方向とＹ方向の全域走査及びその領域走査プロセスを含み、これにより順に最大電圧を有する第１信号、次に大きい電圧を有する第２信号、及び第３に大きい電圧を有する第３信号を検出し、並びに電磁誘導システム内部の回路処理及びマイクロプロセッサの計算の後、正確な無電池指標設備の座標位置を得る。
【００１２】
【実施例】
本発明の検討する方向は、マルチアンテナ回路レイアウトと無電池指標設備を具えた電磁誘導システムの座標位置決め法を提供することとされる。徹底的に本発明を了解できるように、以下の記載中に詳細な製造ステップ或いは構造装置を提出する。しかし、本発明の施行はその特殊な細部に限定されない。一方で、周知の部品とプロセスは細部中には記載されておらず、これにより本発明に不必要な制限を形成するのを防止している。本発明の好ましい実施例は詳細に以下のように描写されるが、これらの詳細な記載のほか、本発明は広くその他の実施例中に施行可能で、且つ本発明の範囲はその詳細な記載に限定されるものではない。
【００１３】
図３に示されるのは本発明の第１実施例であり、まず、マルチアンテナ回路２００を提供する。そのうち、マルチアンテナ回路２００の一端はアンテナスイッチ２１０に電気的に結合され、且つマルチアンテナ回路２００のもう一端は共接点２２０に電気的に結合されている。マルチアンテナ回路２００は複数の逆Ｕ形セクションを具え、例えば、第１逆Ｕ形セクション２３０Ａ、第２逆Ｕ形セクション２３０Ｂ、第３逆Ｕ形セクション２３０Ｃ及び第４逆Ｕ形セクション２４０Ａ、第５逆Ｕ形セクション２４０Ｂ、第６逆Ｕ形セクション２４０Ｃを具え、複数の逆Ｕ形セクション２３０Ａから２３０Ｃは第１鋸歯状領域２６０Ａを形成し、且つ複数の逆Ｕ形セクション２４０Ａから２４０Ｃは第２鋸歯状領域２６０Ｂを形成する。第２鋸歯状領域２６０Ｂは第１鋸歯状領域２６０Ａと相対閉合式アンテナ回路を組成する。そのうち、各逆Ｕ形セクション２３０Ａから２３０Ｃはそれぞれ各逆Ｕ形セクション２４０Ａから２４０Ｃに対応し、それぞれ疑似クローズ領域２５０Ａから２５０Ｃを形成する。このマルチアンテナ回路２００は一つの実体アンテナ回路とされ、そのうち、形成される２５０Ａ、２５０Ｂ、２５０Ｃの疑似クローズ領域の使用する導線回路がすなわち、複数のロジックアンテナ回路とされ、またすなわち、一つの実体アンテナ回路が複数のロジックアンテナ回路を具え、これが本技術がいわゆるマルチアンテナ回路と称される原因である。
【００１４】
図４に示されるように、本発明の第２実施例にあって、複数の実体アンテナ回路（Ｘ１−Ｘ９とＸＡ−ＸＣ）を具えたマルチアンテナ回路レイアウト３００（わずかにＸ軸のみ示す）が提供されている。そのうち、各条の実体アンテナ回路（Ｘ１−Ｘ９とＸＡ−ＸＣ）は、直交二次元座標のＸ軸の方向に沿って配置され、且つそれがそれぞれ複数のロジックアンテナ回路３１０で組成され、ロジックアンテナ回路３１０は本質上、逆Ｕ形セクションと一致する。且つ、各条のマルチアンテナ回路（Ｘ１−Ｘ９とＸＡ−ＸＣ）はそれぞれ一つの対応するアンテナスイッチ３３０と電気的に結合され、且つその別端が共接点３２０と電気的に結合されている。同じ方向にレイアウトされた各マルチ実体アンテナ回路（Ｘ１−Ｘ９とＸＡ−ＸＣ）に関して言うと、各ロジックアンテナ回路３１０とその隣接する他のロジックアンテナ回路が異なるアンテナ回路（Ｘ１−Ｘ９とＸＡ−ＸＣ）に属し、こうして、指標設備がアンテナ回路中のどのロジックアンテナ回路に位置するかを識別することができる。例えば、実体アンテナ回路Ｘ５の一つの逆Ｕ形ロジックアンテナ回路３１０Ａ、その隣り合うその他のロジックアンテナ回路の逆Ｕ形ロジックアンテナ回路３１０Ｃと３１０Ｄは、それぞれ実体アンテナ回路Ｘ４とＸ６に属する。このほか、実体アンテナ回路Ｘ５のもう一つの逆Ｕ形ロジックアンテナ回路３１０Ｂは、その隣り合うその他のロジックアンテナ回路の逆Ｕ形ロジックアンテナ回路３１０Ｅと３１０Ｆが、それぞれ実体アンテナ回路Ｘ２とＸ１２に属する。これにより、指標設備の位置が実体アンテナ回路Ｘ５の逆Ｕ形セクション３１０Ａ或いは３１０Ｂに位置する時、実体アンテナ回路Ｘ５及びその隣り合うロジックアンテナ回路の対応する実体アンテナ回路Ｘ４、Ｘ６、Ｘ２、Ｘ１２の発生する誘導信号電圧の大きさを参考にすることにより、指標設備の位置が実体アンテナ回路Ｘ５の逆Ｕ形ロジックアンテナ回路の３１０Ａと３１０Ｂのいずれに位置するかを識別できる。このほか、同一実体アンテナ回路中の二つの隣り合うロジックアンテナ回路の間の距離は適当とされねばならない（例えば、実体アンテナ回路Ｘ５中の二つの隣り合う逆Ｕ形ロジックアンテナ回路３１０Ａと３１０Ｂの間の距離Ｌ）。もし距離Ｌが小さ過ぎると、指標設備の位置を決定する時に、誤判の結果を形成しやすい。
【００１５】
図５に示される本発明の第３実施例によると、まず、電磁誘導システム４００Ａが提供される。電磁誘導システム４００Ａの指標設備は、無電池指標設備４００Ｂとされ、そのうち、無電池指標設備４００Ｂは電磁誘導式エネルギー保存回路を具え、且つ電磁誘導式エネルギー保存回路がさらに可変インダクタを具えている。電磁誘導システム４００Ａは、アンテナサブ回路４０５、内部回路４１０及びマイクロプロセッシングサブ回路４１５を具えている。そのうち、内部回路４１０は、ろ波及び増幅サブ回路４２０、前級増幅サブ回路４２５、波形整形サブ回路４３０及び周波数−電圧変換サブ回路４３５を具え、且つアンテナサブ回路４０５はマルチアンテナ回路レイアウト４４０とアンテナスイッチグループ４４５を具えている。マルチアンテナ回路レイアウト４４０は複数条の実体アンテナ回路４５０を具え、且つ複数条の実体アンテナ回路４５０はそれぞれアンテナスイッチグループ４４５の複数の二方向アンテナスイッチ４４５Ａと電気的に結合されている。そのうち、アンテナスイッチグループ４４５はそれぞれ前級増幅サブ回路４２５と電気的に結合されると共に、マイクロプロセッシングサブ回路４１５の制御を受ける。このほか、前級増幅サブ回路４２５はそれぞれ、ろ波及び増幅サブ回路４２０と電気的に結合され、並びにマイクロプロセッシングサブ回路４１５の制御を受ける。そのうち、ろ波及び増幅サブ回路４２０はそれぞれ波形整形サブ回路４３０と周波数−電圧変換サブ回路４３５に電気的に結合されている。複数条の実体アンテナ回路４５０が信号を受け取った後、受信信号は前級増幅サブ回路４２５に伝送されて信号増幅される。続いて、前級増幅サブ回路４２５が増幅後の信号をろ波及び増幅サブ回路４２０に伝送し、不必要な周波数帯域のノイズを濾過してさらに増幅する。その後、ろ波及び増幅サブ回路４２０が信号を波形整形サブ回路４３０と周波数−電圧変換サブ回路４３５に送り、周波数−電圧変換サブ回路４３５が特定波形を具えた信号を発生し並びに信号の周波数情報を変換して電圧信号となす。最後に、特定波形の信号と電圧信号をそれぞれマイクロプロセッシングサブ回路４１５に伝送し、マイクロプロセッシングサブ回路４１５が座標演算と、非方位の情報判別を行う。
【００１６】
図６を参照されたい。本実施例中、マルチアンテナ回路レイアウト４４０の複数条の実体アンテナ回路４５０Ａと４５０Ｂはそれぞれ二次元直交座標のＸ軸とＹ軸の方向に沿って配置され、複数条の実体アンテナ回路４５０Ａと４５０Ｂの一端はそれぞれ同じ一つの共接点４５５と電気的に結合され、且つ複数条の実体アンテナ回路４５０Ａと４５０Ｂのもう一端はそれぞれアンテナスイッチグループ４４５の複数の二方向アンテナスイッチ４４５Ａと電気的に結合され、そのうち、複数条の実体アンテナ回路４５０Ａと４５０Ｂはいずれも本質上一致する複数の逆Ｕ形セクションが連接されて形成される。前述のマルチアンテナ回路レイアウト４４０は図８のアンテナ回路配置表に示されるようであり、そのうち、アンテナ回路配置表（図８の如し）はマイクロプロセッシングサブ回路４１５内に設計され得て、且つアンテナ回路配置表は隣接表（図８の如し）を具え、隣接表は、相互に異なる実体アンテナ回路４５０Ａ或いは４５０Ｂとその対応するロジックアンテナ回路の間の隣接関係を示す。このほか、各実体アンテナ回路の位置は一つの実体アンテナアドレス（Ｘ１からＸ９とＸＡからＸＣ）を具え、且つ各ロジックセクションの位置はロジックアドレス（１から４１）を具えている。そのうち、隣り合うロジックアンテナ回路の実体アンテナ回路は重複不可とされ、例えば実体回路ＸＣに関しては、そのロジックアンテナ回路は１３、１４、１５とされ、それはそれぞれ実体アンテナ回路Ｘ３、ＸＣ、Ｘ５に属し、同じく実体アンテナ回路ＸＣの別のセクションに属するロジックアンテナ回路は２３、２４、２５であり、その所属する実体アンテナ回路はＸＢ、ＸＣ、Ｘ１であり、これにより前述のＸ３、Ｘ５は再度出現しない（なぜなら一回だけ出現するため）。
【００１７】
以上述べたように、電磁誘導システム４００Ａはそのアンテナ回路配置表によりその無電池指標設備４００Ｂの位置を位置決めする。無電池指標設備４００Ｂ検出の方法は以下のようである。まず、電磁誘導システム４００Ａ起動後、アンテナスイッチグループ４４５がマイクロプロセッシングサブ回路４１５の発生するスイッチ選択信号に基づき、並びに時分割の方式で、逐一、Ｘ方向とＹ方向の各条の実体アンテナ回路４５０Ａと４５０Ｂの二方向アンテナスイッチ４４５Ａをオン／オフし、並びに全域走査プロセスを実行し、その方法は以下のようであり、すなわち、実体アンテナ回路が電磁信号を発生し、無電池指標設備４００Ｂがマルチアンテナ回路レイアウト４４０に接近する時、無電池指標設備４００Ｂが電磁信号を感応受信する。そのうち、二方向アンテナスイッチ４４５Ａがオンとなり電磁信号を無電池指標設備４００Ｂに発射してエネルギー保存を行う時間は、マイクロプロセッシングサブ回路４１５の内部設定値により決定し、この時間が十分に無電池指標設備の保存エネルギーを飽和状態となせるものとする。無電池指標設備４００Ｂのエネルギー保存完成後に、アンテナ回路はそれ以上電磁信号を発射せず、この時、無電池指標設備が電磁信号をその所在位置の複数条の実体アンテナ回路に発射する。
【００１８】
実際の実施過程にあっては、まず全域走査プロセスで、指標設備の概略のロジックアドレスを探し出した後、さらにこの概略のロジックアドレスに依り領域走査を行う。前述のいわゆる全域走査プロセスでは、まず、第１時間間隔中にあって、第１条の実体アンテナ回路が対応するアンテナスイッチをオンとし、発射回路と実体アンテナ回路を電気的に連接させ、並びにこの時間間隔中において、電磁信号を近隣空間中に発射する。次に、もう一つの時間間隔中において、電磁信号発射を停止し、アンテナスイッチをオフとせず、且つ同時にアンテナ回路により近隣空間の電磁場に感応する。続いて、前級増幅サブ回路４２５、ろ波及び増幅サブ回路４２０からマイクロプロセッシングサブ回路４１５に至り、処理及び演算を行い、感応信号の強さと関連する値を得て、並びにこの値をマイクロプロセッシングサブ回路４１５のＲＡＭ中に記録する。続いて、第２条実体アンテナ回路を作用の対象とし、前述のプロセスを実行する。さらに、感応信号の強さと関係する値の大きさを対比し、並びにその関係を記録する。その後、重複して同じプロセスを実行し、全ての実体アンテナ回路についてそれぞれ実施する。続いて、記録中に最大値があるかを探し、もし最大値があれば、アンテナ回路配置表で対応を実行し、並びに関係する数条の実体アンテナ回路を探し出した後、さらに領域走査の実行準備をし、もし最大値がなければ、重複して前述の全域走査プロセスを、最大値が見つかるまで行う。
【００１９】
以下に領域走査プロセスについて説明する。最大値を有する実体アンテナ回路がある時間間隔中に電磁信号を近隣空間中に発射する。さらに、別の時間間隔中ににおいて、最大値を有するロジックアンテナ回路及びその近隣の複数条のロジックアンテナ回路（最大値を有するロジックアンテナ回路を含む）の対応する実体アンテナ回路が感応受信し、並びに各値をマイクロプロセッシングサブ回路４１５内に記録する。続いて、最大の信号、次に大きな信号、さらにまたその次に大きな信号・・・等を探し出す。これらの信号は、それぞれ第１信号、第２信号及び第３信号・・・と称し、そのうち第１信号の電圧は第２信号の電圧以上であり、第２信号の電圧は第３信号の電圧以上である。最後に、この三つの信号に対して、線形比例関係により正確値を計算し、並びに対比して最大値を有する実体アンテナ回路が改変したか否かを判断し、これにより指標設備の移動軌跡を追跡する。一般には、マイクロプロセッシングサブ回路４１５は５個の電圧信号に基づき、並びにアンテナ回路配置表により無電池指標設備の所在のロジック位置を追跡及び確定し、並びにその座標の所在を計算する。
【００２０】
本発明の上述の実施例中、各１条の実体アンテナ回路は複数回巻かれた後さらに逆Ｕ形ロジックアンテナ回路を形成し、こうして実体アンテナ回路の発射する第１電磁信号の強度が増大され、これにより無電池指標設備のエネルギー保存効果が大幅にアップされ、これによりその発射する第２電磁信号の強度もまた増大し並びにエネルギー保存の時間が減少し、同時に実体アンテナ回路の受信する第２電磁信号の電圧振幅能力が増大される。ゆえに、各一条の実体アンテナ回路が複数回巻かれた後、形成する逆Ｕ形ロジックアンテナ回路は、本マルチアンテナ回路レイアウトの電圧信号強度を高めることができ、本発明のタブレットの有する極めて良好な抗ノイズ能力を使用することにより、システムの安定度を大幅に高めることができる。このほか、本発明の実施例の実体アンテナ回路はただ１２条に限定されるわけではなく、それは実際の応用に依り異なるアンテナ回路数の設計とされうる。
【００２１】
【発明の効果】
以上述べたように、本発明は無電池指標設備とマルチアンテナ回路レイアウトにより座標位置決めのプロセスを実行する。このほか、本発明の無電池指標設備は可変インダクタ素子を具え、この可変インダクタのインダクタンスが改変する時、その共振周波数もまた改変し、ゆえにアンテナ回路の受信する無電池指標設備の発射した電磁信号周波数もまた異なる。このマルチアンテナ回路レイアウトにより、本発明は電磁誘導システムの空間要求及びその基板（硬式或いは軟式に限定されない）の面積を縮減でき、製品外観辺縁寸法を縮減する目的と生産コスト減少の目的を達成し、並びに電磁誘導システムの機能を強化する目的を達成する。これにより、本発明は経済上の利益と産業上の利用性に符合する。
【００２２】
当然、本発明は無電池指標設備の電磁誘導システムのマルチアンテナ回路レイアウトに応用されるほか、任意のマルチアンテナ回路レイアウトを有する座標位置決め方法中に応用可能である。且つ本発明は無電池指標設備とマルチアンテナ回路レイアウトにより座標位置決めのプロセスを実行するが、本発明の技術は、今まで電磁誘導システム方面において未発展である。
【００２３】
あきらかに、上述の実施例の記載に依り、本発明は多くの修正と差異が可能を有しうる。上述の記載のほか、本発明は広くその他の実施例において実施可能である。
【００２４】
以上は本発明の好ましい実施例にすぎず、並びに本発明の特許請求の範囲を限定するものではない。本発明に提示された精神に基づきなしうる等しい効果の改変或いは修飾は、いずれも本発明の請求範囲内に属するものとする。
【図面の簡単な説明】
【図１】伝統的な電磁誘導システムのアンテナ回路レイアウトのＸ軸方向の表示図である。
【図２】伝統的な電磁誘導システムのアンテナ回路レイアウトの表示図である。
【図３】本発明の第１実施例中の、電磁誘導システムのマルチアンテナ回路表示図である（ここにはある一つの実体アンテナ回路の表示図のみ提示されている。）。
【図４】本発明の第２実施例中の、電磁誘導システムのマルチアンテナ回路配置表示図である。
【図５】本発明の第３実施例中の、電磁誘導システムの回路表示図である。
【図６】本発明の第３実施例中の、電磁誘導システムのマルチアンテナ回路配置表示図である。
【図７】本発明の第３実施例中の、電磁誘導システムの回路配置表である。
【図８】本発明の第３実施例中の、電磁誘導システムの隣接表である。
【符号の説明】
１０５Ａ　接地線共接点
１０５Ｂ　接地線共接点
１１０Ａ　アンテナ回路
１１０Ｂ　アンテナ回路
Ｘ１−Ｘ２５　Ｘ軸のアンテナスイッチ
Ｘ１−Ｘ９　Ｘ軸のアンテナスイッチ
ＸＡ−ＸＣ　Ｘ軸のアンテナスイッチ
１７０　境界領域
２００　マルチアンテナ回路（わずかにある一つのアンテナ回路のみ表示）
２１０　実体アンテナ回路に対応するアンテナ回路
２２０　共接点
２３０Ａ　第１逆Ｕ形セクション
２３０Ｂ　第２逆Ｕ形セクション
２３０Ｃ　第３逆Ｕ形セクション
２４０Ａ　第４逆Ｕ形セクション
２４０Ｂ　第５逆Ｕ形セクション
２４０Ｃ　第６逆Ｕ形セクション
２５０Ａ　疑似クローズ領域
２５０Ｂ　疑似クローズ領域
２５０Ｃ　疑似クローズ領域
２６０Ａ　第１鋸歯状領域
２６０Ｂ　第２鋸歯状領域
３００　Ｘ軸の多重アンテナ回路レイアウト
３１０　ロジック領域（わずかに複数のロジックアンテナ回路を含む）
３２０　共接点
３３０　アンテナスイッチ
３１０Ａ　逆Ｕ形セクション
３１０Ｂ　逆Ｕ形セクション
３１０Ｃ　逆Ｕ形セクション
３１０Ｄ　逆Ｕ形セクション
３１０Ｅ　逆Ｕ形セクション
３１０Ｆ　逆Ｕ形セクション
Ｌ　同一実体アンテナ回路の異なるロジックアンテナ回路の距離
４００Ａ　電磁誘導システム
４００Ｂ　無電池指標設備
４０５　アンテナサブ回路
４１０　内部回路
４１５　マイクロプロセッシングサブ回路
４２０　ろ波及び増幅サブ回路
４２５　前級増幅サブ回路
４３０　波形整形サブ回路
４３５　周波数−電圧変換サブ回路
４４０　マルチアンテナ回路レイアウト
４４５　アンテナスイッチグループ
４４５Ａ　二方向アンテナスイッチ
４５０　実体アンテナ回路
４５０Ａ　実体アンテナ回路
４５０Ｂ　実体アンテナ回路
１−４１　ロジックアドレス
【図１】
2004078747.tif 000003
【図２】
2004078747.tif 000004
【図３】
2004078747.tif 000005
【図４】
2004078747.tif 000006
【図５】
2004078747.tif 000007
【図６】
2004078747.tif 000008
【図７】
2004078747.tif 000009
【図８】
2004078747.tif 000010